(57)【要約】【課題】本発明は、公知例のように、常時、ポーリングデータを送受信して、脱落・断線警報対象登録、脱落・断線警報対象外登録を行なわせるという、必然的に動作速度を低減させる処理を行なわせる必要がなく、コード付ナースコール子機が設置される病室のベッドサイドにおいて、脱落・断線警報対象外としての登録作業を確実、簡単に実施できるようにすることを課題とする。【解決手段】ナースコール子機本体に設けた復旧ボタンを一定時間以上継続して操作することにより、前記ナースコール子機本体の回線番号を断線・脱落警報対象外回線として前記ナースコール親機に記憶し、記憶された回線番号のコード付ナースコール子機が取り外され、あるいは断線・脱落しても、前記ナースコール親機から断線・脱落警報が発生しないようにしたことを特徴とする。【選択図】図２
2006271817.tif 000002
【特許請求の範囲】
【請求項１】
ナースステーションに設置されるナースコール親機と、病室の出入り口に設置される集合廊下灯と、ベッドサイドのナースコール子機本体に接続されるコード付ナースコール子機とを有し、前記ナースコール子機本体または前記コード付ナースコール子機から呼び出すと、前記集合廊下灯および前記ナースコール親機に呼出状態を表示すると共に、前記ナースコール子機本体またはコード付ナースコール子機と、前記ナースコール親機との間で通話できるようにし、前記コード付ナースコール子機のコードが断線・脱落すると、前記ナースコール親機において、断線・脱落警報を発生させるようにしたナースコール装置において、前記ナースコール子機本体には、前記コード付ナースコール子機からの呼出状態を復旧させる復旧ボタンを設け、前記復旧ボタンを一定時間以上継続して操作することにより、前記ナースコール子機本体の回線番号を断線・脱落警報対象外回線として前記ナースコール親機に記憶し、記憶された回線番号のコード付ナースコール子機が取り外され、あるいは断線・脱落しても、前記ナースコール親機から断線・脱落警報が発生しないようにしたことを特徴とするナースコール装置。
【請求項２】
前記ナースコール親機から断線・脱落警報が発生すると、これに同期して前記集合廊下灯から断線・脱落警報を発生させるようにしたことを特徴とする請求項１記載のナースコール装置。
【請求項３】
前記ナースコール本体またはコード付ナースコール子機の呼出ボタンを押して、ナースコール親機を呼出すことにより、ナースコール親機に記憶されている断線・脱落警報対象外回線データから当該ナースコール子機の回線番号を消去するようにしたことを特徴とする請求項１または請求項２記載のナースコール装置。
【請求項４】
前記復旧ボタンの操作継続時間を計り、予め設定した規定時間を越えたかどうかを判定する手段を前記ナースコール親機または前記集合廊下灯または前記ナースコール子機本体に設けたことを特徴とする請求項１または請求項２または請求項３記載のナースコール装置。
【発明の詳細な説明】
【技術分野】
【０００１】
本発明は、病院や福祉施設等で使用されるナースコールシステムで使用されるナースコール装置に係り、特に、コード付ナースコール子機の断線・脱落警報を発生させるかどうかを設定ないし登録およびこれを解除する手段に関する。
【背景技術】
【０００２】
従来、ナースコール装置においては、患者のベッドサイドの壁面に設置され、一般にウォールユニット子機や壁付子機と称されるナースコール子機本体を有し、これに接続される、コード付ナースコール子機（通話機能付ハンド型子機や呼出用握りボタンを含み、以下においては、コード付ナースコール子機と略称）のコードが強い力で引っ張られて、コードが断線したり、接続部のメタルコンセントが脱落したりするトラブルが多い。
【０００３】
そのため、コード付ナースコール子機が断線や脱落した場合には、ナースコール親機で断線・脱落警報を発生させ、関係者に報知し、迅速な修理対応をすることにより、使用不能障害の影響を少なくしている。
【０００４】
ところが、患者の容態の変化に伴うベッド移動やメンテナンス作業なども多く、一時的にコード付ナースコール子機を取り外したり、あるいは、当面使用予定のない空きベッドのコード付ナースコール子機をいたずらや盗難防止のため取り外したりすることがある。このように、機器の障害ではなく、業務上の必要から取り外した場合にも、ナースコール親機から断線、脱落警報が発生する。
【０００５】
そして、いったん断線・脱落警報が発生すれば、この警報に気付いた誰かが、断線・脱落警報の発生現場、すなわち、患者のベッドサイドまで行って、発生原因を調査し修復するまで警報音が鳴り響くことになる。
【０００６】
そこで、一般には、ナースコール親機に脱落保留スイッチを設け、このスイッチを操作することにより、断線・脱落警報回線の表示灯を強制的に消灯させ、断線・脱落警報音を停止させたまま、警報回線に該当する患者のベッドサイドに行き、コード付ナースコール子機の状態を確認し、脱落・断線状態を修復できるようになっている。
【０００７】
また、ナースコール親機では、断線・脱落保留スイッチを操作すると、一時的に断線・脱落警報が停止され、断線・脱落回線が確認できなくなるので、改めて、後刻、脱落回線を確認できるように、脱落確認スイッチを設け、この脱落確認スイッチを押すことにより、一時的に断線・脱落回線を表示し、確認できるようになっている。
【０００８】
いずれにしても、従来のナースコール装置では、特定回線の断線・脱落警報を禁止するには、患者のベッドサイドまで行ってナースコール子機の状態を確認したあと、ナースセンターに戻って、ナースコール親機で断線・脱落保留の操作を必要とした。すなわち、ナースコール子機側だけで、断線・脱落警報保留操作を完了させることはできなかった。
【０００９】
特許文献１は、ナースコール装置における、数少ない断線・脱落警報関連の特許文献の一例である。
【００１０】
特許文献１には、ナースコール親機に接続されから集合廊下アダプタから子機アダプタにポーリングデータを送信し、返信の有無で、当該子機アダプタを脱落・断線対象または脱落・断線対象外として登録するとともに、ポーリングデータを再送信することにより、脱落・断線対象登録された子機アダプタから返信が無ければ脱落・断線対象外に変更登録し、
脱落・断線対象外登録された子機アダプタから返信があれば脱落・断線対象登録がされるようにしたナースコール装置の子機アダプタ脱落・断線対象登録方法が記載されている。
【００１１】
この特許文献１記載の発明においても、コード付き子機が病院関係者の都合で意図的に取り外してあるのか、事故で断線、脱落しているのか不明のため、状態を確定するためには、問題のベッドサイドまでいって状態を確認する必要がある。
【００１２】
【特許文献１】・・・・特開平８−２４２３０３号公報
【発明の開示】
【発明が解決しようとする課題】
【００１３】
本発明は、特許文献１に示される公知例のように、常時、ポーリングデータを送受信して、脱落・断線警報対象登録、脱落・断線警報対象外登録を行なわせるという、必然的に動作速度を低減させる処理を行なわせる必要がなく、コード付ナースコール子機が設置される病室のベッドサイドにおいて、脱落・断線警報対象外としての登録作業を確実、簡単に実施できるようにすることを課題とする。
【課題を解決するための手段】
【００１４】
ナースコール子機本体に設けた復旧ボタンを一定時間以上継続して操作することにより、前記ナースコール子機本体の回線番号を断線・脱落警報対象外回線として前記ナースコール親機に記憶し、記憶された回線番号のコード付ナースコール子機が取り外され、あるいは断線・脱落しても、前記ナースコール親機から断線・脱落警報が発生しないようにしたことを特徴とする
【発明の効果】
【００１５】
本発明によれば、患者のベッドサイドにおいて、ナースコール子機本体に設けられた復旧ボタンを一定時間以上継続して押すことにより、当該子機本体を脱落・断線警報対象外の子機本体として登録することができるので、登録作業を確実、簡単に実施することができる。
【発明を実施するための最良の形態】
【００１６】
以下、本発明のナースコール装置における好ましい実施例を図面にしたがって説明する。図１に示す本発明のナースコール装置は、ナースステーションに設置されるナースコール親機1と、各病室の出入り口に設置される集合廊下灯２（共用トイレの出入り口等に設置されるアダプタを含む）と、患者のベッドサイドに設置されるナースコール子機本体３とを相互に接続して構成されており、このような構成自体は一般的かつ周知の構成である。
【００１７】
図示の例では、ナースコール親機１は、選局部を多数並べた、いわゆる多回線型のナースコール親機であり、集合廊下灯２も、各病室に対応して、ベッド数分の複数の氏名部を並べた集合廊下灯であるが、本発明はこのようなナースコール親機や集合廊下灯に限定されるものではない。すなわち、タッチパネル式のナースコール親機や集合廊下灯についても適用できる。
【００１８】
図１に示すナースコール子機本体３は、スピーカ４及びマイク５を備え、送受器６を備えたナースコール親機１との間で相互に通話ができる。なお、スピーカ４及びマイク５は、不要であれば削除できる。
１０は呼出状態を解除するための復旧ボタンである。
【００１９】
なお、ナースコール子機本体３は、一般に、患者のベッドの頭頂側の壁面に設置されるため、この子機本体３を使って、患者が呼出操作するためには、ベッド上で起き上がって向きを変えなければならないし、また、ベッド上で寝たままで通話するためには、大声を出さなければならず、患者にとっては不便な面がある。
【００２０】
図示の例では、この困難を解消し、患者がベッドに寝たままの状態で呼出操作や通話ができるように、通話機能を備えたコード付ナースコール子機７をそのコンセントを介してナースコール子機本体３に接続してある。このコード付子機７には、呼出ボタン１４を備えているが、必要に応じて、更に、握りボタン型のコード付子機９を接続する場合もある。
【００２１】
なお、病院によっては、通話機能を備えたコード付子機７は接続せず、握りボタンを有するコード付子機８のみを接続する場合もある。この場合は、ナースコール子機本体３のスピーカ４、マイク５を使って通話することになる。
【００２２】
次に、図２のブロック図について説明する。
図において、ナースコール子機本体３は、復旧ボタン１０に接続された制御部１１を有し、この制御部１１は、通話機能を備えたコード付子機７の通話部１２、脱落信号部１３ａ、呼出ボタン１４に接続されている。握りボタン型のコード付子機８は、呼出ボタン１４に並列に接続されている。
【００２３】
ナースコール子機本体３の制御部１１は、集合廊下灯２の制御部１５に接続され、この制御部１５は通信部１６を介してナースコール親機１の通信部１７に接続されている。
集合廊下灯２の制御部１５には、計時部１８と記憶部１９が接続されている。
ナースコール親機１は、通話部２０、警報部２１、記憶部２２に接続された制御部２３を有し、この制御部２３は、前記通信部１７および回線表示部２４に夫々接続されている。
【００２４】
次に本発明によるナースコール装置の動作を図２を参照して説明する。
まず、コード付子機７の呼出ボタン１４を押すと、呼出信号がナースコール子機本体３の制御部１１、集合廊下灯２の制御部１５、通信部１６を介して、ナースコール親機１の通信部１７に送られる。
【００２５】
ナースコール親機１の制御部２３は、通信部１７を介して受信した呼出信号から呼出種別、回線番号を読み取ると共に、記憶部２２に記憶した回線データをもとに回線表示部２４の指定回線の呼出表示灯を点滅させる。同時に、警報部２１から呼出音を鳴動させ、どのベッドの患者から呼出されているかを周りに報知する。
更に、集合廊下灯２においても代表灯（図示せず）を点滅させると共に、個別表示灯（図示せず）を点灯させる。
【００２６】
ここで、ナースコール親機１の送受器６を取り上げると、通話部２０が起動すると共に、制御部２３の働きで回線表示部２４の呼出表示灯が点滅から点灯に変わるなどして通話状態に遷移する。同時に、通話路の閉成信号が通信部１７を介して、集合廊下灯２に送られ、その制御部１５の作用でナースコール子機本体３およびコード付子機７を通話状態に切り換える結果、ナースコール親機１と、ナースコール子機本体３またはコード付子機７との間で通話が開始される。
【００２７】
なお、通話機能のないコード付子機８を操作してナースコール親機１を呼出した場合も、前記と同様にして、ナースコール親機１を呼出すことができる。
【００２８】
ところで、前記ナースコール親機１の呼出状態において、ナースコール子機本体３の復旧ボタン１０を押すことにより、呼出状態を解除することができる。これにより、コード付子機７、ナースコール子機本体３、集合廊下灯２、ナースコール親機１はすべて復帰し待機状態となる。
【００２９】
次に、コード付子機７または８のコードが強く引っ張られて断線したり、あるいは、根本のコンセント部においてナースコール子機本体３から脱落した場合について説明する。
【００３０】
コード付子機７または８の脱落信号部は、一般的には短絡用の抵抗で構成されており、コード付子機７または８が前述のようにして断線または脱落すると、脱落信号部１３ａ、１３ｂによる短絡状態が解除され、この短絡解除信号は、ナースコール子機本体３の制御部１１において断線・脱落信号として受信される。
【００３１】
この断線・脱落信号は、前述した呼出信号の送信経路と同じ経路を経由して、ナースコール親機１の制御部２３に送られる結果、ナースコール親機１では警報部２１において断線・脱落警報が鳴り、回線表示部２４において断線・脱落回線が表示される。
【００３２】
なお、断線・脱落警報を、集合廊下灯２でも発生させれば、病室の前の廊下を移動中の看護師等に報知できるので、断線・脱落に対する処置を迅速化できる。
【００３３】
ところで、患者のベッド移動は日常的に発生し、一時的に空きベッドとなる病床が発生するが、患者のいないベッドサイドにおいては、コード付子機７および８は、いたずらや盗難防止のため、取り外しておくことが好ましい。ところが、コード付子機７、８を取り外すと、前述したように、断線・脱落警報機能が働き、ナースコール親機１から断線・脱落警報が発生してしまう。
【００３４】
本発明では、このような場合には、不必要な断線・脱落警報が機能しないように設定できる。
【００３５】
次に、当該ナースコール子機本体３からコード付子機７または８を取り外す場合において、断線・脱落警報を発生させないために、当該ナースコール子機本体３を断線・脱落警報の対象外子機として登録する方法を説明する。
まず、ナースコール子機本体３の復旧ボタン１０は、これを操作すると、通常は、復旧信号が制御部１１を介して集合廊下灯２の制御部１５に送られる。
【００３６】
集合廊下灯２の制御部１５においては、復旧信号の継続時間を計時部１８において計測し、記憶部１９に記憶されている規定時間より短ければ、通常の復旧信号としてナースコール親機１に送信すると共に、所定の復旧処理が行なわれる。
【００３７】
他方、復旧信号の継続時間が前記規定時間より長ければ、断線・脱落警報対象外登録信号を生成し、これを復旧信号に変えて、ナースコール親機１に送信する。
ナースコール親機１の制御部２３においては、この断線・脱落警報対象外登録信号を受信すると、その信号から当該回線番号を読み取り、読み取った回線番号を断線・脱落警報対象外回線として記憶部２２に記憶する。
【００３８】
このようにして、特定のナースコール子機本体３が、断線・脱落警報対象外回線として登録された後、改めて、断線・脱落警報信号が発生した場合について説明する。
【００３９】
ナースコール親機１は、断線・脱落警報信号を受信すると、まず、受信した警報信号を解読し、ナースコール子機本体３の回線番号を特定する。
次に、この特定した回線番号が、記憶部に記憶されている断線・脱落警報対象外回線に含まれているか否か検索する。
【００４０】
検索した結果、断線・脱落警報対象外回線として登録されていれば、断線・脱落警報を発生させず、通常のルーチンに復帰する。
登録されていなければ、断線・脱落警報を発生させる。
【００４１】
なお、図２に示す実施例においては、集合廊下灯２に計時部１８を設け、この計時部１８において、復旧ボタン１０の操作継続時間をカウントできるようにしてあるが、この計時部をナースコール親機１やナースコール子機本体３に設けることも可能である。
【００４２】
次に、断線・脱落警報対象外回線として登録された回線のナースコール子機本体３に、いったん取り外したコード付子機７または８を接続し、再び断線・脱落警報対象回線として登録しなおす方法を説明する。
【００４３】
この再登録の方法は極めて簡単である。すなわち、コード付子機７または８をナースコール子機本体３に接続したあと、コード付子機７または８を使って呼出操作を行なうだけでよい。
【００４４】
すなわち、呼出操作をすると呼出信号がナースコール親機１に送られ、ナースコール親機１は、受信した呼出信号から回線番号を読取り、当該回線番号が断線・脱落警報対象外回線として記憶部２２に登録されているかどうかを検索し、検索した結果、断線・脱落警報対象外回線として登録されている場合には、これを当該回線データを記憶部２２から削除できるように構成されている。
【００４５】
なお、実施例には示されていないが、ナースコール親機１において、断線・脱落警報対象外回線として登録されている回線を、必要に応じて一覧で確認したり、断線・脱落警報回線を一時的に保留させる公知の機能を付加することにより、本発明をより効果的に実施することができる。
【図面の簡単な説明】
【００４６】
【図１】本発明によるナースコール装置の一実施例を示す構成図。
【図２】本発明によるナースコール装置の一実施例を示すブロック図。
【符号の説明】
【００４７】
１    ナースコール親機
２    集合廊下灯
３    ナースコール子機本体
７    コード付子機（通話機能付き）
８    コード付（握りボタン型）
９    コード付子機（握りボタン）
１０    復旧ボタン
１１    制御部
１３ａ  脱落信号部
１３ｂ  脱落信号部
１４    呼出ボタン
１５    制御部
１６    通信部
１７    通信部
１８    計時部
１９    記憶部
２１    警報部
２２    記憶部
２３    制御部
２４    回線表示部
【図１】
2006271817.tif 000003
【図２】
2006271817.tif 000004